(57)【特許請求の範囲】
【請求項１】
本体取付部を有する器具本体と、この器具本体に両端部が取付られた略Ｕ字形であって先端側にグローブおよびスイッチを取付けた取付具と、前記器具本体の前記本体取付部の近傍に取付けられた感震スイッチと、前記器具本体に取付けられて前記感震スイッチの動作により点灯するランプを装着したランプソケットとを備え、前記器具本体は引掛シーリングキャップ挿入穴を有し、前記本体取付部は前記引掛シーリングキャップ挿入穴の両側に形成した一対の取付孔からなり、前記感震スイッチは前記器具本体の一対の取付孔を結ぶ線上に設けた照明器具。
【請求項２】
前記取付具の両端部は、前記引掛シーリングキャップ挿入穴の両側で前記取付孔の並び方向と直交する方向に固定された請求項１記載の照明器具。
【請求項３】
器具本体は造営材との間に介在する弾性体を有する請求項１記載の照明器具。
【発明の詳細な説明】
【０００１】
【発明の属する技術分野】
この発明は、感震スイッチを有する照明器具に関するものである。
【０００２】
【従来の技術】
従来例を図９および図１０に示す。すなわち、天井１００の引掛シーリングボディ１０１にアダプタ１０２の接続器１０２ａが接続され、照明器具１０３のコード１０４の上端に設けた引掛シーリングキャップ１０５がアダプタ１０２の被接続器１０２ｂに接続されている。
【０００３】
アダプタ１０２には、感震スイッチ１０６、豆球１０７および感震ブロック１０８が設けられ、感震スイッチ１０６の震動感知動作により感震ブロック１０８が動作し豆球１０７が点灯する。
常時は引掛シーリングボディ１０１、アダプタ１０２、引掛シーリングキャップ１０５およびコード１０４を通して照明器具１０３へ電源を供給しているが、一定以上の揺れを検知すると、照明器具１０３側が消灯状態であっても、アダプタ１０２の豆球１０７を自動点灯させ、照度を確保する。
【０００４】
１０９はプルスイッチである。
【０００５】
【発明が解決しようとする課題】
しかし、照明器具１０３の乱暴な操作や、吊り下げ型照明器具１０３に物が当たった時の振動を検知し、自動点灯してしまう恐れがあった。
また吊り下げ型の照明器具は地震に弱く敬遠されがちであった。
元来、感震スイッチ１０６はファンヒータ等の家電製品において強い衝撃や転倒を検知し、電源を遮断する目的で使用されているが、照明器具１０３のように通常のスイッチング操作等で振動が加わる場合、地震による揺れのみを検知して動作させるのは困難であった。
【０００６】
したがって、この発明の目的は、日常の振動や器具を操作する時に生じる揺れ等では誤動作しないが、地震の揺れで確実に動作することができる照明器具を提供することである。
【０００７】
【課題を解決するための手段】
請求項１記載の照明器具は、本体取付部を有する器具本体と、この器具本体に両端部が取付られた略Ｕ字形であって先端側にグローブおよびスイッチを取付けた取付具と、前記器具本体の前記本体取付部の近傍に取付けられた感震スイッチと、前記器具本体に取付けられて前記感震スイッチの動作により点灯するランプを装着したランプソケットとを備え、前記器具本体は引掛シーリングキャップ挿入穴を有し、前記本体取付部は前記引掛シーリングキャップ挿入穴の両側に形成した一対の取付孔からなり、前記感震スイッチは前記器具本体の一対の取付孔を結ぶ線上に設けたものである。
【０００８】
請求項１記載の照明器具によれば、ある大きさの地震があると感震スイッチが動作し、ランプが点灯し、安全を図ることができる。この場合、感震スイッチを本体取付部の近傍に設け、スイッチおよびグローブを取付具の先端側に設けたため、スイッチ操作により取付具が揺れることがあっても、感震スイッチが本体取付部の近傍にあるため、スイッチの操作により生じる振動を感震スイッチに伝達しにくいのでスイッチ操作の影響を回避でき誤動作を防止することができる。またランプ交換のためのグローブの着脱やグローブの清掃時に取付具が揺れることがある場合も、感震スイッチの誤動作を防止することができる。
【０００９】
また、前記器具本体が引掛シーリングキャップ挿入穴を有し、前記本体取付部は前記引掛シーリングキャップ挿入穴の両側に形成した一対の取付孔からなり、前記感震スイッチは前記器具本体の一対の取付孔を結ぶ線上に設けたため、スイッチ操作時の器具本体の揺れを少なくでき、スイッチ操作感を向上することができる。
【００１０】
請求項２記載の照明器具は、請求項１において、前記取付具の両端部が、前記引掛シーリングキャップ挿入穴の両側で前記取付孔の並び方向と直交する方向に固定されたものである。
請求項２記載の照明器具によれば、請求項１の効果のほか、取付具の揺れ方向と直交する方向に感震スイッチを設けているため、より一層確実に感震スイッチの誤動作を防止することができる。
請求項３記載の照明器具は、請求項１において、器具本体は造営材との間に介在する弾性体を有する。
【００１１】
【発明の実施の形態】
この発明の第１の実施の形態を図１ないし図３により説明する。すなわち、この天井直付け型の照明器具は、器具本体１と、取付具２と、感震スイッチ３と、ランプソケット（図示せず）とを有する。
器具本体１は、本体取付部５を有する。実施の形態では、器具本体１が天井６のローゼット７を中心位置として天井６に取付けられるもので、ローゼット７に対応して凹部３５を形成し、凹部３５の中心に引掛シーリングキャップ挿入穴８（図２）を有し、本体取付部５は凹部３５の引掛シーリングキャップ挿入穴８の両側に形成した一対の取付孔９からなり、取付孔９は大径部９ａとこれに連続する円弧状のスリット部９ｂにより形成しただるま形孔であり、引掛シーリングキャップ挿入穴８を中心に対称に形成している。ローゼット７に設けた取付具１０に垂下した取付ねじ１１の頭部を取付孔９の大径部９ａに通し器具本体１を回動して円弧状のスリット部９ｂに通し、取付ねじ１１を締付けて器具本体１を取付具１０に固定している。１２（図２）は器具本体１内より引き出された電源線３６の端部に接続された引掛シーリングキャップであり、引掛シーリングキャップ挿入穴８よりローゼット７に接続されている。１３は安定器、１４は蓄電池、１５は取付部材１６を介してつまみねじ１７により器具本体１に取付けられた反射板、１８はランプ支持ばね、１９は環形蛍光ランプである。なお、停電時に環形蛍光ランプ１９や豆ランプ（図示せず）を点灯させるための電池ブロック（図示せず）も組み込んでいる。
【００１２】
取付具２は、器具本体１に両端部が取付られた略Ｕ字形であって、先端側にグローブ２０、点検スイッチ２１ａおよびプルスイッチ２１ｂを取付けている。実施の形態では、取付具２は金属製であり、その両端部は、図２に示すように引掛シーリングキャップ挿入穴８の両側で取付孔９の並び方向と直交する方向に固定されている。この取付具２は大Ｕ字形部２２と、小Ｕ字形部２３からなり、小Ｕ字形部２３の両端をねじやリベット等の連結具２４により大Ｕ字形部２２の下端部に連結し、大Ｕ字形部２２の両端部のフランジ２２ａを溶接や連結具等の固定手段で器具本体１に固定している。そして、大Ｕ字形部２２の先端に点検スイッチ２１ａおよびプルスイッチ２１ｂを取付け、また小Ｕ字形部２３の先端に設けた筒軸部２６にグローブ２０の中心孔２７を通し、小Ｕ字形部２３にナット３３で締付け固定し、グローブ２０の全周は開放して電池ブロック等の温度上昇を低減している。２８は筒軸部２６に貫通されて点検スイッチ２１ａに接続された筒状の点検スイッチ操作部、２９は点検スイッチ操作部２８に通されたプルスイッチ２１ｂに接続されたプルスイッチ操作紐である。
【００１３】
感震スイッチ３は、器具本体１の本体取付部５の近傍に取付けられている。実施の形態では、感震スイッチ３を器具本体１の一対の取付孔９を結ぶ線上に設けている。また器具本体１に地震時に点灯させるための感震ブロック３０をその近傍に取付け、感震スイッチ３の動作信号を入力すると感震ブロック３０が動作して豆ランプ（図示せず）または環形蛍光ランプ１９を点灯する。
【００１４】
ランプソケット（図示せず）は、器具本体１に取付けられて感震スイッチ３の動作、ならびに点検スイッチ２１ａおよびプルスイッチ２１ｂの操作により点灯する環形蛍光ランプ１９を接続している。
この照明器具は、ある大きさの地震があると感震スイッチ３が動作し、豆ランプまたは環形蛍光ランプ１９が点灯し、安全を図ることができる。この場合、感震スイッチ３を本体取付部５の近傍に設け、プルスイッチ２１ｂおよびグローブ２０を取付具２の先端側に設けたため、力ｆのスイッチ操作により図３に示す想像線のように取付具２が揺れることがあっても、感震スイッチ３が本体取付部５の近傍にあるため、プルスイッチ２１ｂの操作により生じる振動を感震スイッチ３に伝達しにくいのでスイッチ操作の影響を回避でき誤動作を防止することができる。
【００１５】
またランプ交換のためのグローブ２０の着脱やグローブ２０の清掃時に取付具２が揺れることがある場合も、感震スイッチ３の誤動作を防止することができ、造営材すなわち天井の振動すなわち地震による振動を正確にひろえる。
また器具本体１が引掛シーリングキャップ挿入穴８を有し、本体取付部５は引掛シーリングキャップ挿入穴８の両側に形成した一対の取付孔９からなり、感震スイッチ３は器具本体１の一対の取付孔９を結ぶ線上に設けたため、スイッチ操作時の器具本体１の揺れを少なくでき、スイッチ操作感を向上することができる。
【００１６】
さらに、取付具２の両端部が、引掛シーリングキャップ挿入穴９の両側で取付孔９の並び方向と直交する方向に固定されたため、外力（スイッチ引き力、セードへの衝撃力）に対し、図２のＸ−Ｘ′方向は取付ねじ１１の固定力により感震スイッチ３の揺動を防ぎ、Ｙ−Ｙ′方向は図３に示すように取付具２が撓むことにより感震スイッチ３へ振動が加わることを軽減する。このように、取付具２の揺れ方向と直交する方向に感震スイッチ３を設けているため、より一層確実に感震スイッチ３の誤動作を防止することができる。
【００１７】
この発明の第２の実施の形態を図４から図８に示す。この照明器具は、第１の実施の形態の器具本体１の凹部３５の周壁部を分離した構成に近似するが、器具本体１と取付側となる造営材との間に弾性体４０を介在したものである。さらに本体取付部５を、器具本体１の中心に設けた取付穴４３の周縁部を支持する本体取付板４１により形成し、本体取付板４１と器具本体１との間に弾性体４２を介在している。取付穴４３の周縁部には垂下周壁４３ａを形成し、取付穴４３の内径よりも大きい外径の本体取付板４１の外周には立上り周壁４１ａを形成し、垂下周壁４３ａと立上り周壁４１ａとの間に弾性体４２を保持している。本体取付板４１は図５に示すように、第１の実施の形態において説明した引掛シーリングキャップ挿入穴８を中心に有し、その一方向の両側に一対の取付孔９を有し、取付孔９の並び方向に直交する方向の両側に取付具２のフランジ２２ａを固定手段４５により取付けている。そして、取付孔９に取付ねじ１１が係合して取付ねじ１１のねじ締めにより、取付板４１が造営材の天井６の取付具１０に引き寄せられ、弾性体４２を介して器具本体１が引上げられ、弾性体４０を介して器具本体１が天井６に引き寄せられる。弾性体４０，４２は図６および図７に示すようなブラシ状のものと、図８に示すようなコイル状のものがある。ブラシ状のものはゴム等の弾性材を用いたりコイルばねを用いた棒状の弾性体４０を複数並べて両端を器具本体１と天井６とに対向したものである。両端に支持板を介在してもよいし、一端を造営材側となる天井６または器具本体１に取付けてもよい。コイル状のものは１個のコイルばねからなり、一端を器具本体１等に取付けるか、器具本体１を天井６に取付ける際に器具本体１と天井６との間に挿入する。ブラシ状およびコイル状のいずれも水平方向の振動に対して想像線のように弾性変形する。その他の構成は第１の実施の形態と同様である。
【００１８】
第１の実施の形態では、地震以外で生じる建物の振動たとえば階上の人間の挙動による微振動、車両等の通過に伴う振動を感震スイッチ３により検知し、自動点灯するおそれがあった。この実施の形態によれば、日常生活で生じる１０Ｈｚ以上の比較的高い周波数は弾性体４０，４２により吸収されて感震スイッチ３に伝達されない。すなわち感震スイッチ３は一般的に、封入された水銀と接点のオン−オフを検出しているので、重力方向よりも水平方向の振動に敏感であるが、弾性体４０，４２により横方向の微振動を吸収することができる。一方、地震のような０．２〜５Ｈｚ程度の低周波数で振幅の大きい揺れでは弾性体４０，４２は有効に働かず、器具本体１を取付けた造営材の天井６と同様の挙動を示すため感震スイッチ３が動作するのに必要な加速度が加わる。したがって、器具のスイッチ操作およびグローブ等のメンテナンス操作や日常の生活振動で器具に加わる振動に対してて感震スイッチ３が誤動作せず、地震の揺れで確実に動作することができる。その他は第１の実施の形態と同様である。
【００１９】
なお、実施の形態においては、感震スイッチ３が器具本体１の一対の取付孔９を結ぶ線上に設けているが、これには感震スイッチ３が線の近傍に位置する場合を含む。
【００２０】
【発明の効果】
請求項１記載の照明器具によれば、感震スイッチを本体取付部の近傍に設け、スイッチおよびグローブを取付具の先端側に設けたため、スイッチ操作により取付具が揺れることがあっても、感震スイッチが本体取付部の近傍にあるため、スイッチの操作により生じる振動を感震スイッチに伝達しにくいのでスイッチ操作の影響を回避でき誤動作を防止することができる。またランプ交換のためのグローブの着脱やグローブの清掃時に取付具が揺れることがある場合も、感震スイッチの誤動作を防止することができる。
【００２１】
また、器具本体が引掛シーリングキャップ挿入穴を有し、前記本体取付部は前記引掛シーリングキャップ挿入穴の両側に形成した一対の取付孔からなり、前記感震スイッチは前記器具本体の一対の取付孔を結ぶ線上に設けたため、スイッチ操作時の器具本体の揺れを少なくでき、スイッチ操作感を向上することができる。
【００２２】
請求項２記載の照明器具によれば、請求項１において、前記取付具の両端部が、前記引掛シーリングキャップ挿入穴の両側で前記取付孔の並び方向と直交する方向に固定されたため、請求項１の効果のほか、取付具の揺れ方向と直交する方向に感震スイッチを設けているため、より一層確実に感震スイッチの誤動作を防止することができる。
【図面の簡単な説明】
【図１】この発明の第１の実施の形態の断面図である。
【図２】器具本体の部分底面図である。
【図３】取付具の動作状態の側面図である。
【図４】第２の実施の形態の断面図である。
【図５】器具本体の部分底面図である。
【図６】弾性体の斜視図である。
【図７】その側面図である。
【図８】別の弾性体の断面図である。
【図９】従来例の側面図である。
【図１０】アダプタの断面図である。
【符号の説明】
１    器具本体
２    取付具
３    感震スイッチ
５    器具取付部
６    天井
８    引掛シーリングキャップ挿入穴
９    取付孔
１９    環形蛍光ランプ
２０    グローブ
２１ａ  点検スイッチ
２１ｂ  プルスイッチ
【図１】
0003640101.tif 000002
【図２】
0003640101.tif 000003
【図３】
0003640101.tif 000004
【図４】
0003640101.tif 000005
【図５】
0003640101.tif 000006
【図６】
0003640101.tif 000007
【図７】
0003640101.tif 000008
【図８】
0003640101.tif 000009
【図９】
0003640101.tif 000010
【図１０】
0003640101.tif 000011